(57)【要約】【課題】  誰もが、容易に、人体頭部の各部分の頭髪どうしの間に成立する相対的位置関係を把握可能である人体頭部模型を提供すること。【解決手段】  体の頭蓋を模してなる基部１０を有する人体頭部模型１において、基部１０の表面を複数のブロック２０により区分し、各ブロック２０の表面に、頭髪５０を植毛するとともに、隣接する２個のブロック２０どうし間において、一方のブロック２０の頭髪５０と、他方のブロック２０の頭髪５０と、を、互いに異なる色に染める。【選択図】  図１
2014180349.tif 000002
【特許請求の範囲】
【請求項１】
人体の頭蓋を模してなる基部を有し、
前記基部の表面は、複数個のブロックに区分されており、
各前記ブロックの表面には、頭髪が植えられており、
互いに隣接する２個の前記ブロックどうし間において、一方の前記ブロックに植えられている頭髪と、他方の前記ブロックに植えられている頭髪と、は、互いに異なる色に染められていることを特徴とする人体頭部模型。
【発明の詳細な説明】
【技術分野】
【０００１】
本発明は、人体頭部模型に関する。
【背景技術】
【０００２】
美容や理容のカット技術を学ぶ学生は、その技術を習得するために練習を積まなければならない。この練習では、人体頭部模型（例えば、特許文献１を参照）が使われることが多い。人体頭部模型には、頭髪として人毛や人工毛が植え込まれている。そして、学生は、人体頭部模型の頭髪を実際にカットすることによって練習を積み重ねる。
【０００３】
また、髪形は、人体頭部の様々な部分の頭髪が相互に重なり合う等して形成される。このため、目的とする髪形を正しく形成するためには、各部分の頭髪どうしがどのような相対的位置関係を有しているかを、正しく把握していることが重要である。学生は、人体頭部模型の頭髪をカットすることによって、各部分の頭髪どうしの間に成立している相対的位置関係を体得する。
【先行技術文献】
【特許文献】
【０００４】
【特許文献１】特開２００３−０８８４２１号公報
【発明の概要】
【発明が解決しようとする課題】
【０００５】
しかしながら、学生が従来ある人体頭部模型を用いて頭髪のカット技術を練習することには、以下の問題点が存在する。
まず、学生は、カット技術の練習を行う際、人体頭部模型の頭髪の一部を指の間に挟み、すくいあげる。そして、すくい上げた頭髪をカットする。この手順を繰り返すことによって、カットが頭髪全体に施される。
【０００６】
学生が、カットした頭髪を指の間から離してしまうと、その頭髪は、他の頭髪の間に紛れ込んでしまい、見えにくくなってしまう。また、指ですくい上げた状態の頭髪と、自然に垂れ下がった状態の頭髪と、は、その見え方が全く異なる。
【０００７】
このため、未熟な学生にとって、カットする部分の頭髪と、他の部分の頭髪と、の間に成立している相対的位置関係を正確に把握することは、非常に困難である。そして、カット前にイメージした髪形と、実際に完成した髪形と、の間に、ずれが生じやすくなってしまう。
【０００８】
本発明は、上記問題を解決するものであり、その目的とするところは、人体頭部の各部分の頭髪の間に成立する相対的位置関係を、誰もが、容易に体得可能とする人体頭部模型を提供することである。
【課題を解決するための手段】
【０００９】
本発明は、その課題を解決するために以下のような構成をとる。請求項１の発明に係る人体頭部模型は、人体の頭蓋を模してなる基部を有し、前記基部の表面は、複数個のブロックに区分されており、各前記ブロックの表面には、頭髪が植えられており、互いに隣接する２個の前記ブロックどうし間において、一方の前記ブロックに植えられている頭髪と、他方の前記ブロックに植えられている頭髪と、は、互いに異なる色に染められていることを特徴とする。
【００１０】
隣接するブロックどうしの頭髪が、互いに異なる色で染められている。これにより、学生は、各ブロックの頭髪の間に成立する相対的位置関係を容易に視覚を介して把握することができる。例えば、あるブロックの頭髪が指ですくい上げられたときの状態と、そのブロックの頭髪が自然に垂れ下がったときの状態と、を、学生は、視覚を介して容易に比較することができる。そして、学生は、頭髪全体の三次元的イメージを正確に脳裏に描くことができるようになる。
【００１１】
通常の人体頭部において、頭髪が生えている部分は、以下のように区分することができる。
すなわち、頭髪が生えている部分は、頭頂部近傍のトップセクション、額上方のフロントセクション、側頭部側のサイドオーバーセクションとサイドアンダーセクション、後頭部側のバックオーバーセクションとバックアンダーセクションとネープセクションに区分される。
【００１２】
なお、サイドオーバーセクションは、サイドアンダーセクションよりも頭頂部側に位置する。また、バックオーバーセクションは、バックアンダーセクションよりも頭頂部側に位置する。そして、バックアンダーセクションは、ネープセクションよりも頭頂部側に位置する。
【００１３】
各ブロックは、トップセクション、フロントセクション、サイドオーバーセクション、サイドアンダーセクション、バックオーバーセクション、バックアンダーセクション及びネープセクションに対応して区分されていることが好ましい。また、これらの各ブロックは、さらに小さなブロックに区分されていても良い。
【００１４】
さらに、美容師や理容師が、新規なデザインの髪形を考える場合においても、カットした部分の効果等を容易に視覚を介して確認でき、髪形の工夫がより容易化される。
【発明の効果】
【００１５】
上記のような人体頭部模型であるので、誰もが、容易に、人体頭部の各部分の頭髪の間に成立する相対的位置関係を把握可能である。
【図面の簡単な説明】
【００１６】
【図１】人体頭部模型の左側面図である。
【図２】人体頭部模型の右斜め後面図である。
【発明を実施するための形態】
【００１７】
本発明の実施の形態を図１及び図２を参照しつつ以下に説明する。
以下の説明において、右とは、人体頭部模型１の右耳側のことをいい、左とは、人体頭部模型１の左耳側のことをいうものとする。
人体頭部模型１は、基部１０を有する。
【００１８】
基部１０は、人体頭部の頭蓋を模してなる。基部１０の正面側の表面には、目（図示略）、鼻、額が形成されており、基部１０の左右側面の表面には、頬と耳がそれぞれ形成されており、基部１０の下部には、首が形成されている。そして、基部１０は、通常の人体頭部の頭髪が生えている箇所に相当する部分１０Ａと、それ以外の部分１０Ｂとに分かれている。
【００１９】
部分１０Ａは、複数個のブロック２０に区分されている。ブロック２０は、１個のブロック２１、１個のブロック２２、左右に１個ずつ存在するブロック２３Ｕ、左右に１個ずつ存在するブロック２３Ｌ、１個のブロック２４Ｕ、１個のブロック２４Ｌ、１個のブロック２７によって構成されている。
【００２０】
ブロック２１は、人体頭部模型１の頂部周辺に位置している。ブロック２１の位置は、実際の人体頭部におけるトップセクションの位置に対応している。
ブロック２２は、人体頭部模型１の額の上方部分に隣接しているとともに、ブロック２１の額側部分（すなわち、前方部分）に隣接している。ブロック２２の位置は、実際の人体頭部におけるフロントセクションの位置に対応している。
【００２１】
ブロック２３Ｕは、人体頭部模型１の左右両側にそれぞれ位置している。ブロック２３Ｌも人体頭部模型１の左右両側にそれぞれ位置している。ブロック２３Ｕは、ブロック２１の耳寄りの部分（すなわち、下方部分）に隣接し、ブロック２３Ｌは、ブロック２３Ｕの耳寄りの部分（すなわち、下方部分）に隣接している。また、左右のブロック２３Ｕは、ブロック２２の左右両側部分（すなわち、後方部分）にそれぞれ隣接している。
【００２２】
ブロック２３Ｕの位置は、実際の人体頭部におけるサイドオーバーセクションの位置に対応している。ブロック２３Ｌの位置は、実際の人体頭部におけるサイドアンダーセクションの位置に対応している。
ブロック２４Ｕとブロック２４Ｌとブロック２７とは、人体頭部模型１の後面側に位置している。ブロック２４Ｕは、ブロック２１の後側下方部分に隣接し、ブロック２４Ｌは、ブロック２４Ｕの首側部分（すなわち、下方部分）に隣接し、ブロック２７は、ブロック２４Ｌの首側部分（すなわち、下方部分）に隣接している。また、ブロック２４Ｕは、左右のブロック２３Ｕの後方部分に隣接しており、ブロック２４Ｌは、左右のブロック２３Ｌの後方部分に隣接している。
【００２３】
さらに、ブロック２４Ｕは、左右対称の２個のブロック２５に区分されている。ブロック２４Ｌも、左右対称の２個のブロック２６に区分されている。ブロック２７も、左右対称の２個のブロック２８に区分されている。
ブロック２４Ｕは、実際の人体頭部におけるバックオーバーセクションに対応している。ブロック２４Ｌは、実際の人体頭部におけるバックアンダーセクションに対応している。ブロック２７は、実際の人体頭部におけるネープセクションに対応している。
【００２４】
ブロック２１、２２、２３Ｕ、２３Ｌ、２５、２６、２８の各表面には、それぞれ、長い頭髪５０が密植されている。なお、図１及び図２において、ブロック２１に植えられた頭髪５０のみを図示し、他の頭髪５０の図示は省略されている。
ブロック２１に植えられた頭髪５０は、黒色に染められている。ブロック２２に植えられた頭髪５０は、白色に染められている。各ブロック２３Ｕに植えられた頭髪５０は、赤色に染められている。各ブロック２３Ｌに植えられた頭髪５０は、黄色に染められている。右側のブロック２５に植えられた頭髪５０は、水色に染められている。左側のブロック２５に植えられた頭髪５０は、緑色に染められている。右側のブロック２６に植えられた頭髪５０は、青色に染められている。左側のブロック２６に植えられた頭髪５０は、黄緑色に染められている。右側のブロック２８に植えられた頭髪５０は、紫色に染められている。左側のブロック２８に植えられた頭髪５０は、ピンク色に染められている。
【００２５】
以上が、人体頭部模型１の構成である。次に、この人体頭部模型１の作用効果について説明する。
美容師学校に通う学生が人体頭部模型１を使う場合を例にとって以下説明する。
頭髪５０は、特に手を加えられていなければ、自然に下方に垂れ下がっている。また、各ブロック２０の頭髪５０は、それぞれ色分けされている。このため、学生は、垂れ下がった状態の各ブロック２０の頭髪５０が、頭髪５０全体に対してどのような相対的位置関係を有しているかを、容易に視覚的に把握することができる。
【００２６】
また、学生は、指ですくい上げた任意のブロック２０の頭髪５０と、垂れ下がっている他のブロック２０の頭髪５０と、の間に成立する相対的位置関係をも、容易に視覚的に把握することができる。
さらに、学生は、すくい上げた任意のブロック２０の頭髪５０をカットした場合に、カットした頭髪５０が、他のブロック２０の頭髪５０に対してどのような相対的位置関係を有しているかを、容易に視覚的に把握することができる。
【００２７】
すなわち、学生は、すくい上げた状態のカットした頭髪５０が、他の部分の頭髪５０に対してどのような相対的位置関係を有しているかを、容易に把握することができる。また、学生は、自然に垂れ下がった状態のカットした頭髪５０が、他の部分の頭髪５０に対してどのような相対的位置関係を有しているかをも、容易に把握することができる。
【００２８】
したがって、学生は、頭髪５０全体と、各部分の頭髪５０と、の間に成立する相対的位置関係を簡単に学習することができ、頭髪５０全体の三次元的イメージをも簡単かつ迅速に把握することができる。
なお、本実施の形態におけるブロック２１、２２、２３Ｕ、２３Ｌ、２５、２６、２８は、さらに小さなブロックに区分されていても良い。
【００２９】
また、本実施の形態における各ブロック２０の頭髪５０は、他の色に染められていても良い。
【産業上の利用可能性】
【００３０】
上記のような人体頭部模型であるので、人体頭部の各部分の頭髪の間に成立する相対的位置関係を、誰もが、容易に体得可能であり、理容業や美容業に携わる者にとって極めて有用である。
【符号の説明】
【００３１】
１    人体頭部模型
１０    基部
１０Ａ、１０Ｂ    基部の部分
２０、２１、２２、２３Ｕ、２３Ｌ、２４Ｕ、２４Ｌ、２５、２６、２７、２８    ブロック
５０    頭髪
【図１】
2014180349.tif 000003
【図２】
2014180349.tif 000004